(57)【要約】【課題】セキュリティー上問題がなく、会員カード発行までに使用する仮会員カードの発行手続を容易に行う。【解決手段】会員カードの申し込みに応じて会員カードを発行するに当たって当該会員カードの発行前に仮会員カードの発行を行う際、会員カード発行サーバ１１はネットワークを介して会員カード申し込みに係る申込内容を受けて当該申込内容を登録し、申込内容に対応付けて仮会員カードとして用いられる会員コードを生成して、会員コードを仮会員カードとしてネットワークを介して申込内容に示された携帯端末１２に通知する。【選択図】図１
2007257159.tif 000002
【特許請求の範囲】
【請求項１】
店舗において利用可能な会員カードを発行するにあたって、仮会員として前記会員カードの発行前の利用を可能にする会員カード発行システムであって、
前記会員カードの申し込みを行うためのユーザ端末と、
このユーザ端末にネットワークを介して接続される会員カード発行サーバと、を備え、
前記ユーザ端末は、
前記会員カードの申し込み情報を前記会員カード発行サーバに前記ネットワークを介して送信する申し込み情報送信手段を備え、
前記会員カード発行サーバは、
前記申し込み情報送信手段によって送信された申し込み情報に対応付けて、仮会員カードとして用いられる会員コードを生成する会員コード生成手段と、
この会員コード生成手段によって生成された会員コードを、前記申し込み情報に対応するユーザ端末に前記ネットワークを介して送信する会員コード送信手段と、
この会員コード送信手段によって送信されて前記ユーザ端末に記憶された会員コードが前記店舗の店舗端末に入力されて、この入力された会員コードが前記店舗端末から前記ネットワークを介して前記会員カード発行サーバに送信されると、この送信された会員コードを受信して、この受信した会員コードと、前記会員コード生成手段によって生成された会員コードとを比較し、両者が一致している場合には、前記受信した会員コードが有効である旨を前記店舗端末に送信する会員コード認証手段と、を備えることを特徴とする会員カード発行システム。
【請求項２】
店舗において利用可能な会員カードを発行するにあたって、仮会員として前記会員カードの発行前の利用を可能にする会員カード発行システムにおける会員カード発行サーバであって、
ユーザ端末からネットワークを介して送信された前記会員カードの申し込み情報を受信すると、この受信した申し込み情報に対応付けて仮会員カードとして用いられる会員コードを生成する会員コード生成手段と、
この会員コード生成手段によって生成された会員コードを、前記申し込み情報に対応するユーザ端末に前記ネットワークを介して送信する会員コード送信手段と、
この会員コード送信手段によって送信されて前記ユーザ端末に記憶された会員コードが前記店舗の店舗端末に入力されて、この入力された会員コードが前記店舗端末から前記ネットワークを介して前記会員カード発行サーバに送信されると、この送信された会員コードを受信して、この受信した会員コードと、前記会員コード生成手段によって生成された会員コードとを比較し、両者が一致している場合には、前記受信した会員コードが有効である旨を前記店舗端末に送信する会員コード認証手段と、を備えることを特徴とする会員カード発行サーバ。
【請求項３】
前記ユーザ端末から送信された前記会員カードの申し込み情報を受信すると、前記会員カードの発行を指示する発行管理手段を有することを特徴とする請求項２に記載の会員カード発行サーバ。
【請求項４】
前記通知手段は、前記会員コードの有効期限を会員コード有効期限情報として前記ユーザ端末に送信することを特徴とする請求項２又は請求項３に記載の会員カード発行サーバ。
【請求項５】
前記ユーザ端末から前記会員カードの申し込み情報を受信すると、前記会員コードの有効期限が登録手段に登録され、
前記会員コード認証手段は、前記店舗端末から前記会員コードを受信すると、この受信した会員コードに対応した有効期限を前記登録手段から抽出し、この抽出した有効期限と前記店舗端末から送信された日付とを比較し、前記日付が前記抽出した有効期限内である場合には、前記受信した会員コードが有効である旨を前記店舗端末に送信することを特徴とする請求項２から請求項４のいずれか一項に記載の会員カード発行サーバ。
【請求項６】
前記会員カードが発行された後、前記会員コードを無効とするようにしたことを特徴とする請求項２から請求項５のいずれか一項に記載の会員カード発行サーバ。
【請求項７】
前記会員コードは、１次元コード又は２次元コードであることを特徴とする請求項２から請求項６のいずれか一項に記載の会員カード発行サーバ。
【請求項８】
店舗において利用可能な会員カードを発行するにあたって、仮会員として前記会員カードの発行前の利用を可能にする会員カード発行システムにおける会員カード発行方法であって、
ユーザ端末からネットワークを介して送信された前記会員カードの申し込み情報を受信すると、この受信した申し込み情報に対応付けて仮会員カードとして用いられる会員コードを生成する会員コード生成ステップと、
この会員コード生成ステップによって生成された会員コードを、前記申し込み情報に対応するユーザ端末に前記ネットワークを介して送信する会員コード送信ステップと、
この会員コード送信ステップによって送信されて前記ユーザ端末に記憶された会員コードが前記店舗の店舗端末に入力されて、この入力された会員コードが前記店舗端末から前記ネットワークを介して前記会員カード発行サーバに送信されると、この送信された会員コードを受信して、この受信した会員コードと、前記会員コード生成ステップによって生成された会員コードとを比較し、両者が一致している場合には、前記受信した会員コードが有効である旨を前記店舗端末に通知する会員コード認証ステップと、を備えることを特徴とする会員カード発行方法。
【発明の詳細な説明】
【技術分野】
【０００１】
本発明は、クレジットカード等の会員カードを発行する際にそのカード発行作業を容易にするための会員カード発行システム、会員カード発行サーバ、及び会員カード発行方法に関するものである。
【背景技術】
【０００２】
一般に、各種店舗等の店頭において、クレジットカード等の会員カードの発行手続が行われることがあるが、会員カードの発行に当たっては、会員カード申込書に所定の事項を記入する必要がある。そして、申込書に手書きで記入された事項をデータ化して、コンピュータシステムに登録してから会員カードを発行しており、会員カードが申込者の手元に届くまで所定の日数が必要となる。そのため、会員カードの申し込みがあってから、その会員カードがユーザの手元に郵送等で届くまでの間、ユーザはその会員カードを利用することができない。そこで、その間に利用可能な仮会員カードが発行されることがある（仮会員カードは申込書に添付されていることが多い）。
【０００３】
上述のように、会員カードを発行するにあたっては、申込書へ所定の事項を記入しなければならず、店頭で記入を行うとなるとその記入手続が極めて面倒となってしまう。さらに、店頭には申込書への記入場所（カウンター）等を配置しなければならず、余分なスペースが必要となるばかりでなく、余分な人件費が掛かってしまう。加えて、別に仮会員カードを発行しなければならず、仮会員カードの材料費等発行コストが掛かってしまい、申込書に記入された事項をデータ化するという作業も必要となる。
【０００４】
このような不具合を防止するために、以下のようシステムが提案されている。すなわち、会員カードを発行するに当たって、まず第三者が発行した第三者カードのカード情報を読取り、当該読取った第三者カード情報を会員管理端末機に転送する。そして、その会員管理端末機において、第三者カード情報を含む会員情報が既に登録されているか否かの登録の有無を判定する。そして、その会員情報が未登録であると、第三者カード情報を含む会員情報を作成して登録管理するとともに、登録完了後、会員登録機に会員カードＩＤを送信する。それから、会員登録機において、現在挿入されている第三者カードに会員カードＩＤを記録して、該会員登録済みの第三者カードを返却するようになっている（特許文献１参照）。
【特許文献１】特開２００４−２４８９６９号公報
【発明の開示】
【発明が解決しようとする課題】
【０００５】
しかしながら、上述のように、会員カードの発行に代って、第三者カードに別に会員カードＩＤを書き込こむようにすれば、会員カード発行の手間が省けるものの、複数の店舗で会員カードを発行するとなると、複数の会員カードＩＤが第三者カードに書き込まれることになり、第三者カードのメモリ容量が大きくなってしまう。しかも、第三者カードに別の会員カードＩＤが書き込まれることになると、第三者カードの使用に当たって不都合が起こることがあり、さらには、セキュリティー上の問題点もある。
【０００６】
このように、従来の会員カード発行手法では、申込書への記入を行う場合に当たっては、会員カードの発行に手間が掛かり、第三者カードに当該店舗に係る会員カードＩＤを書き込む場合には、第三者カードとの整合性及びセキュリティー対策を行わなければならず、いずにしても、会員カードの発行を容易に行うことが難しいという問題がある。加えて、従来の会員カード発行手法では仮会員カード発行に係るコスト及び手間等を何ら考慮していない。
【０００７】
本発明の目的は、セキュリティーを確保しつつ、会員カードの発行を容易に行うことができ、しかも会員カード発行までに使用する仮会員カードの発行手続を不要にすることができる会員カード発行サーバ、会員カード発行システム、及び会員カード発行方法を提供することにある。
【課題を解決するための手段】
【０００８】
本発明は、店舗において利用可能な会員カードを発行するにあたって、仮会員として前記会員カードの発行前の利用を可能にする会員カード発行システムであって、前記会員カードの申し込みを行うためのユーザ端末と、このユーザ端末にネットワークを介して接続される会員カード発行サーバと、を備え、前記ユーザ端末は、前記会員カードの申し込み情報を前記会員カード発行サーバに前記ネットワークを介して送信する申し込み情報送信手段を備え、前記会員カード発行サーバは、前記申し込み情報送信手段によって送信された申し込み情報に対応付けて、仮会員カードとして用いられる会員コードを生成する会員コード生成手段と、この会員コード生成手段によって生成された会員コードを、前記申し込み情報に対応するユーザ端末に前記ネットワークを介して送信する会員コード送信手段と、この会員コード送信手段によって送信されて前記ユーザ端末に記憶された会員コードが前記店舗の店舗端末に入力されて、この入力された会員コードが前記店舗端末から前記ネットワークを介して前記会員カード発行サーバに送信されると、この送信された会員コードを受信して、この受信した会員コードと、前記会員コード生成手段によって生成された会員コードとを比較し、両者が一致している場合には、前記受信した会員コードが有効である旨を前記店舗端末に送信する会員コード認証手段と、を備えることを特徴とする。
【０００９】
また、本発明は、店舗において利用可能な会員カードを発行するにあたって、仮会員として前記会員カードの発行前の利用を可能にする会員カード発行システムにおける会員カード発行サーバであって、ユーザ端末からネットワークを介して送信された前記会員カードの申し込み情報を受信すると、この受信した申し込み情報に対応付けて仮会員カードとして用いられる会員コードを生成する会員コード生成手段と、この会員コード生成手段によって生成された会員コードを、前記申し込み情報に対応するユーザ端末に前記ネットワークを介して送信する会員コード送信手段と、この会員コード送信手段によって送信されて前記ユーザ端末に記憶された会員コードが前記店舗の店舗端末に入力されて、この入力された会員コードが前記店舗端末から前記ネットワークを介して前記会員カード発行サーバに送信されると、この送信された会員コードを受信して、この受信した会員コードと、前記会員コード生成手段によって生成された会員コードとを比較し、両者が一致している場合には、前記受信した会員コードが有効である旨を前記店舗端末に送信する会員コード認証手段と、を備えることを特徴とする。
【００１０】
また、本発明は、前記ユーザ端末から送信された前記会員カードの申し込み情報を受信すると、前記会員カードの発行を指示する発行管理手段を有することを特徴とする。
【００１１】
また、本発明は、前記通知手段は、前記会員コードの有効期限を会員コード有効期限情報として前記ユーザ端末に送信することを特徴とする。
【００１２】
また、本発明は、前記ユーザ端末から前記会員カードの申し込み情報を受信すると、前記会員コードの有効期限が登録手段に登録され、前記会員コード認証手段は、前記店舗端末から前記会員コードを受信すると、この受信した会員コードに対応した有効期限を前記登録手段から抽出し、この抽出した有効期限と前記店舗端末から送信された日付とを比較し、前記日付が前記抽出した有効期限内である場合には、前記受信した会員コードが有効である旨を前記店舗端末に送信することを特徴とする。
【００１３】
また、本発明は、前記会員カードが発行された後、前記会員コードを無効とするようにしたことを特徴とする。
【００１４】
また、本発明は、前記会員コードは、１次元コード又は２次元コードであることを特徴とする。
【００１５】
また、本発明は、店舗において利用可能な会員カードを発行するにあたって、仮会員として前記会員カードの発行前の利用を可能にする会員カード発行システムにおける会員カード発行方法であって、ユーザ端末からネットワークを介して送信された前記会員カードの申し込み情報を受信すると、この受信した申し込み情報に対応付けて仮会員カードとして用いられる会員コードを生成する会員コード生成ステップと、この会員コード生成ステップによって生成された会員コードを、前記申し込み情報に対応するユーザ端末に前記ネットワークを介して送信する会員コード送信ステップと、この会員コード送信ステップによって送信されて前記ユーザ端末に記憶された会員コードが前記店舗の店舗端末に入力されて、この入力された会員コードが前記店舗端末から前記ネットワークを介して前記会員カード発行サーバに送信されると、この送信された会員コードを受信して、この受信した会員コードと、前記会員コード生成ステップによって生成された会員コードとを比較し、両者が一致している場合には、前記受信した会員コードが有効である旨を前記店舗端末に通知する会員コード認証ステップと、を備えることを特徴とする。
【発明の効果】
【００１６】
以上のように、本発明によれば、セキュリティーを向上させることができ、会員カード発行までに使用する仮会員カードの発行手続を不要にすることができる。
【００１７】
また、本発明によれば、ユーザ端末から申し込み情報を受信すると、会員カードの発行を指示するようにしたので、会員カードの発行を容易に開始できるという効果がある。
【００１８】
また、本発明によれば、会員コードの有効期限を設定して、店舗端末から送信された日付が有効期限内かどうかを認証するので、セキュリティの向上を図ることができる。
【発明を実施するための最良の形態】
【００１９】
次に、図面を参照して本発明の実施の形態について説明する。
図１は本発明の実施の形態による会員カード発行サーバ（以下単にサーバと呼ぶ）１１を用いた会員カード発行システムの概念を示す図であり、サーバ１１は、例えば、会員カード発行会社に設置され、インターネット等の通信回線に接続されている。
【００２０】
会員カードの申込を行う際には、携帯電話機やＰＤＡ（Ｐｅｒｓｏｎａｌ  Ｄｉｇｉｔａｌ  Ａｓｓｉｓｔａｎｔ）などの携帯端末（ユーザ端末）１２によって、ユーザがサーバ１１にアクセスして、後述するようにして、携帯端末１２から会員カード申込を行う。すなわち、会員カードの申込内容（例えば、氏名、住所、パスワード、及びメールアドレス等の申し込み情報）１３がサーバ１１に送られて、サーバ１１では携帯端末１２に対して仮会員カードとして用いられる会員コード１４を送信する。そして、携帯端末１２ではこの会員コード１４を記憶し、会員コード１４を仮会員カードとして用いることになる。なお、会員コード１４は２次元コードである。ただし、会員コード１４をバーコードなどの１次元コードとしてもよい。
【００２１】
一方、サーバ１１に蓄積された申込内容１３に応じて別に審査が行われて、審査をパスすると、サーバ１１によって会員番号１５が発行されて、会員カード（以下本カードと呼ぶ）１６が作成され、郵送等で会員に送付される。
【００２２】
図２はサーバ１１の構成の一例を示すブロック図であり、図示のように、サーバ１１は送受信管理部２１、コード生成部２２、会員コード認証部２３、登録管理部２４、会員データベース（会員ＤＢ）２５、及び発行管理部２６を有している。そして、送受信管理部２１では携帯端末１２との送受信を行う。また、登録管理部２４によって会員ＤＢ２５が制御され、登録管理部２４は会員ＤＢ２５に会員情報を記憶させる。
【００２３】
また、コード生成部２２は後述するように携帯端末１２に送付する会員コードを生成する（この会員コードは仮会員カードとして用いられる）。発行管理部２６は、本カード１６の発行に際して会員番号を生成し、会員カードの発行を指示する発行指示信号を会員番号とともに不図示のカード発行部に向けて送信する。会員コード認証部２３は後述するように、仮会員カードである会員コードが使用された際、会員コードの認証（例えば、会員コード有効期限のチェックなど）を行う。
【００２４】
会員ＤＢ２５には、例えば、図３に示す会員登録一覧が格納される。図３を参照すると、会員登録一覧には、会員コード欄３１、会員番号欄３２、会員コード有効期限欄３３、氏名欄３４、パスワード欄３５、住所欄３６、メールアドレス欄３７、ポイント欄３８、本カード発行済み欄３９、及び本カード有効期限欄４０が設けられている。
【００２５】
会員コード欄３１には仮会員カードとして用いられる会員コードが格納され、会員番号欄３２には本カードの会員番号が格納される。会員コード有効期限欄３３には予め定められた期限（例えば、三ヶ月）の日付が設定され、氏名欄３４、パスワード欄３５、住所欄３６、及びメールアドレス欄３７にはそれぞれ氏名、パスワード、住所、及びメールアドレスが格納される。ポイント欄３８には会員コード又は本カードの使用の都度発行されるポイントが累積され、本カード発行済み欄３９には本カードが発行されるとフラグが格納される。また、本カード有効期限欄４０には本カードの有効期限を示す日付が格納される。
【００２６】
ここで、図４も参照して、図２に示すサーバ１１の動作について説明する。
いま、ユーザが会員カード１６の申込を行う場合には、携帯端末１２を用いて、例えば、無線回線及びインターネットを介してサーバ１１（つまり、ＵＲＬ）にアクセスする。これによって、携帯端末１２の画面には会員カード申込ページが表示される。
【００２７】
この会員カード申込ページには、氏名、パスワード、住所、及びメールアドレス（端末メールアドレス）を入力するための、申込内容入力欄が規定されており、ユーザが氏名、パスワード（ユーザが任意に決める）、住所、及びメールアドレスを申込内容として入力して（ステップＳ１）、送信ボタンを押すと、申込内容がサーバ１１に送信される（ステップＳ２）。すなわち、携帯端末１２の申し込み情報送信手段によって、申し込み情報がサーバ１１に送信される。
【００２８】
サーバ１１においては、送受信管理部２１で申込内容を受信し、申込内容を受け付けて（ステップＳ３）、この申込内容を登録管理部２４に入力する。そして、登録管理部２４で申込内容を会員ＤＢ２５に登録する（ステップＳ４）。この際、コード生成部２２では、送受信管理部２１から申込内容受付け指示が入力されると、会員コードを生成し（ステップＳ５）、当該会員コードを登録管理部２４に入力する。そして、登録管理部２４では前述の申込内容に対応付けて会員コードを会員ＤＢ２５に格納する。
【００２９】
上述の会員コードはコード生成部２２から送受信管理部２１にも入力されて、送受信管理部２１では登録管理部２４から出力されるメールアドレス宛に会員コードを送信する（ステップＳ６）。このとき、会員コードのダウンロードページのＵＲＬをメールで送信するようにしてもよい。この際には、携帯端末１２においてこのＵＲＬにアクセスして会員コードを取得する）。そして、ユーザは会員コードを携帯端末１２に記憶させる（会員コード取り込み：ステップＳ７）。
【００３０】
このようにして、仮会員カードとして機能する会員コードを携帯端末１２に送信すると、サーバ１１においては、発行管理部２６が起動されて、会員番号を生成し、会員カードの発行を指示する発行指示信号を会員番号とともにカード発行部に向けて送信する。この際、発行管理部２６では未使用の会員番号を生成して、カード発行部に送信する。これによって、会員カード発行会社において本カード１６の作成が行われる。つまり、会員カードの発行が行われる（ステップＳ８）。
【００３１】
会員カードの発行指示信号を送信した後、発行管理部２６では予め規定された会員コード有効期限を設定し、この会員コード有効期限を登録管理部２４に入力する。そして、登録管理部２４では申込内容に対応付けて会員コード有効期限を会員ＤＢ２５に設定する（ステップＳ９：会員コード有効期限は、例えば、会員カード発行指示から３ヶ月である）。なお、会員カードの発行受付けの際に、会員コード有効期限を設定するようにしてもよい。
【００３２】
その後、発行管理部２６では会員コード有効期限を送受信管理部２１に入力し、送受信管理部２１では登録管理部２４から出力されたメールアドレス宛に会員コードを送信する（ステップＳ１０）。そして、携帯端末１２では会員コード有効期限を受信して、この会員コード有効期限を表示する（ステップＳ１１）。
【００３３】
このようにして、会員コードを格納した携帯端末１２は会員コードを仮会員カードとして使用することができる。会員コードを用いる際には、例えば、店頭で携帯端末１２の画面に会員コード（バーコード）を表示して、この会員コードが店舗端末（図示せず）によって読み取られる（ステップＳ１２：会員コード使用）。店舗端末で読み取られた会員コードはインターネットを介してサーバ１１に送信されて、送受信管理部２１で受信され、会員コード認証部２３に入力される。
【００３４】
会員コード認証部２３では、当該会員コードに応じて会員ＤＢ２５を検索し、該当する会員コードの有効期限を抽出する。そして、会員コード認証部２３は、抽出した有効期限と、前記店舗端末から送信された日付情報とを比較し（ステップＳ１３）、その日付情報が、抽出した有効期限と同日又はそれよりも前のものである場合に、会員コードが有効であると判定する。そして、会員コードが有効であると判定すると、有効信号を送受信管理部２１に入力する。これによって、送受信管理部２１は会員コード有効信号を店舗端末に送信し、当該会員コード（つまり、仮会員コード）が有効である旨が報知される。
【００３５】
ところで、本カード１６が郵送されると、図示しない入力装置からサーバ１１に会員番号とともに本カード発行済みデータ及びその有効期限が入力され、これによって登録管理部２４では該当する会員番号について本カード発行済みを記録する（フラグの登録）とともに有効期限を設定する。一方、会員番号及び本カード発行済みデータが入力された後、所定の時間が経過すると、登録管理部２４では当該会員番号に対応する会員コードに無効フラグを付与し、会員コードが使用できない状態とする（つまり、仮会員カードを無効とする）。
【００３６】
このようにして、携帯端末１２を用いてサーバ１１に対して会員カード申し込みを行って、この会員カード申し込みに応じてサーバ１１から携帯端末１２に仮会員カードとして機能する会員コードを送信し、携帯端末１２の画面に表示される会員コードを仮会員カードとして用いるようにしたので、店頭に出向いて会員カード申込書への記入の必要がないばかりか、データ化の必要もなく、物理的に仮会員カードを実際に発行する必要がない。このため、会員カード発行までに使用する仮会員カードの発行手続を実質的に極めて容易に行うことができる。
【００３７】
さらに、会員コードには有効期限が設定される関係上、セキュリティーの向上を図りつつ、会員カードの発行も容易に行うことができる。
【００３８】
なお、上述の例では、携帯電話機等の携帯端末を用いて申込内容をサーバに送信する例について説明したが、例えば、自宅等に設置されたパーソナルコンピュータ（ＰＣ）を用いて申込内容をサーバに送信するようにしてもよい。この際には、申込内容にはＰＣのメールアドレスではなく、ユーザが使用する携帯端末のメールアドレスを記載するようにする。
【００３９】
また、上述の説明から明らかなように、登録管理部２４及び会員ＤＢ２５が登録手段として機能し、コード生成部２２が会員コード生成手段として機能する。また、送受信管理部２１が通知手段として機能する。さらに、発行管理部２６が発行管理手段として機能し、会員コード認証部２３が会員コード認証手段として機能する。
【産業上の利用可能性】
【００４０】
ネットワークを介して前記会員カード申し込みに係る申込内容を受けて当該申込内容を登録した後、この申込内容に対応付けて仮会員カードとして用いられる会員コードを生成し、会員コードを仮会員カードとしてネットワークを介して申込内容で示された携帯端末に通知するようにしたから、会員カード発行までに使用する仮会員カードの発行手続を容易に行うことができる結果、クレジットカード等の各種会員カードを発行する際に適用できる。
【図面の簡単な説明】
【００４１】
【図１】本発明の実施の形態による会員カード発行サーバを用いた会員カード発行システムの一例を概略的に示す図である。
【図２】本発明の実施の形態による会員カード発行サーバの構成を示すブロック図である。
【図３】図２に示す会員ＤＢに登録される登録内容を説明するための図である。
【図４】図２に示す会員カード発行サーバの動作を説明するためのフロー図である。
【符号の説明】
【００４２】
１１  会員カード発行サーバ
１２  携帯端末（ユーザ端末）
１３  申込内容（申し込み情報）
１４  会員コード
１５  会員番号
１６  会員カード
２１  送受信管理部（通知手段）
２２  コード生成部（会員コード生成手段）
２３  会員コード認証部（会員コード認証手段）
２４  登録管理部（登録手段）
２５  会員ＤＢ（登録手段）
２６  発行管理部（発行管理手段）
【図１】
2007257159.tif 000003
【図２】
2007257159.tif 000004
【図３】
2007257159.tif 000005
【図４】
2007257159.tif 000006